(57)【要約】      （修正有）【課題】ソケットが通電状態であっても、口金の挿し込み時において感電やアーク放電等を防ぐ。【解決手段】ガイシ２、３の離間状態において挿し込まれた口金Ｂとコンタクト５０とが非接触状態であり、ガイシ２、３が接近したときに口金Ｂとコンタクト５０とが接触状態となる。【選択図】図６
2010262799.tif 000002
【特許請求の範囲】
【請求項１】
一対のガイシ同士の接近により、該一対のガイシでバイポスト型電球の口金を挟持して、該口金の挿し込み状態を保持し、該一対のガイシ同士が離間することにより、前記口金の挟持を解除して、該口金を抜き挿し可能状態とするソケットにおいて、
前記一対のガイシの一方に設けられ、挿し込み状態の前記口金を支持する支持部と、
前記一対のガイシの他方に設けられ、前記支持部で支持された前記口金に対して挟持状態でのみ接触するコンタクトと、
を備えていることを特徴とするソケット。
【請求項２】
前記コンタクトは、口金に対して支持部の挿し込み終端側で接触するように配置されていることを特徴とする請求項１に記載のソケット。
【請求項３】
前記支持部を備えたガイシは、他方のガイシの接近・離間状態において口金の挿し込み方向で該他方のガイシの挿し込み始端面と重なるカバー部を有し、該カバー部は、前記支持部と連通する挿し込み孔を備えていることを特徴とする請求項１又は請求項２に記載のソケット。
【請求項４】
前記支持部は、前記口金を接触状態で支持していることを特徴とする請求項１ないし請求項３いずれか１項に記載のソケット。
【請求項５】
前記コンタクトに口金が接触する放電部を備え、該放電部は、口金に対して最初に接触するように配置されていることを特徴とする請求項１ないし請求項４いずれか１項に記載のソケット。
【請求項６】
前記放電部は、支持部の挿し込み終端側に配置されていることを特徴とする請求項５に記載のソケット。
【請求項７】
前記放電部は、前記口金の挿し込み終端側に接触するように配置されていることを特徴とする請求項５又は請求項６に記載のソケット。
【請求項８】
前記一対のガイシは、アルミナからなることを特徴とする請求項１ないし請求項７いずれか１項に記載のソケット。
【発明の詳細な説明】
【技術分野】
【０００１】
本発明は、劇場舞台やテレビスタジオなどの演出空間において、演出照明を行うスポットライト等の照明器具に用いるバイポスト型電球用のソケットに関する。
【背景技術】
【０００２】
本発明に関連する先行技術文献情報として、例えば、次の特許文献１及び特許文献２がある。
【先行技術文献】
【特許文献】
【０００３】
【特許文献１】実全昭５７−２５４８２号公報
【０００４】
【特許文献２】実全昭５７−５７０８０号公報
【０００５】
特許文献１、２は、２分割した２つのコンタクトが互いに平行方向に近接することで、該コンタクト間に挿し込んだバイポスト型電球の口金を締め付け挟持し、離間することで、該口金の抜き挿しを行えるようにしたソケットの具体的な構造について述べられている。この特許文献１、２のソケット構造によれば、バイポスト型電球の口金の抜き挿しが容易であるとともに、口金を確実に保持できる。
【０００６】
ところで、バイポスト型電球をソケットに装着する際には、該ソケットを非通電状態にして感電やアーク放電等の発生を防止することが必要である。すなわち、ソケットが通電状態であると、口金に指が触れた状態で挿し込んだ際に感電することになる。また、挿し込み時において口金がコンタクトに対して不安定な状態で接触することでアーク放電が生じて、口金やコンタクトの表面が酸化したり、部分的に絶縁抵抗が上昇して過熱したりすることで、バイポスト型電球やソケットの寿命を縮めることになる。
【発明の概要】
【発明が解決しようとする課題】
【０００７】
本発明は、このような問題に対処することを課題とするものである。すなわち、万が一、ソケットが通電状態であっても、口金の挿し込み時において感電やアーク放電等を防ぐことが本発明の目的である。
【課題を解決するための手段】
【０００８】
前記目的を達成するため、本発明に係るソケットは、次の構成を少なくとも具備する。
【０００９】
一対のガイシ同士の接近により、該一対のガイシでバイポスト型電球の口金を挟持して、該口金の挿し込み状態を保持し、一対のガイシ同士が離間することにより、前記口金の挟持を解除して、該口金を抜き挿し可能状態とするソケットにおいて、前記一対のガイシの一方に設けられ、挿し込み状態の口金を支持する支持部と、前記一対のガイシの他方に設けられ、前記支持部で支持された口金に対して挟持状態でのみ接触するコンタクトと、を備えていることを特徴とする。
【００１０】
前記コンタクトは、口金に対して支持部の挿し込み終端側で接触するように配置されていることを特徴とする。
【００１１】
前記支持部を備えたガイシは、他方のガイシの接近・離間状態において口金の挿し込み方向で該他方のガイシの挿し込み始端面と重なるカバー部を有し、該カバー部は、前記支持部と連通する挿し込み孔を備えていることを特徴とする。
【００１２】
前記支持部は、前記口金を接触状態で支持していることを特徴とする。
【００１３】
前記コンタクトに前記口金が接触する放電部を備え、該放電部は、支持された口金に対して最初に接触するように配置されていることを特徴とする。
【００１４】
前記放電部は、支持部の挿し込み終端側に配置されていることを特徴とする。
【００１５】
前記放電部は、前記口金の挿し込み終端側に接触するように配置されていることを特徴とする。
【００１６】
前記一対のガイシは、酸化アルミニウムからなることを特徴とする。
【図面の簡単な説明】
【００１７】
【図１】本発明に係るソケットの一例を示す概略構成を示す断面図で口金抜き挿し可能状態を示す。
【図２】同、口金挟持保持状態を示す。
【図３】図１の(３)-(３)線断面図。
【図４】図１の(４)-(４)線断面図。
【図５】図１の(５)-(５)線断面図。
【図６】図１の(６)-(６)線断面図。
【図７】図１の(７)-(７)線断面図。
【図８】図２の(８)-(８)線断面図。
【図９】図２の(９)-(９)線断面図。
【図１０】図２の(１０)-(１０)線断面図。
【発明を実施するための形態】
【００１８】
以下、本発明に係るソケットを実施するための形態を図面に基づいて説明する。
【００１９】
図１〜図１０は、本実施形態のソケット１の概略構成図を示している。本実施形態のソケット１は、一対のガイシ２、３と、該一対のガイシ２、３同士を接近・離間させるとともに、該接近状態及び離間状態を保持する保持機構４とを備えてなる。
【００２０】
すなわち、一対のガイシ２、３の離間状態(図１、図３〜図７参照)においてバイポスト型電球(以下「電球」という)Ａの口金Ｂが抜き挿し可能状態となり、ガイシ２、３の接近状態(図８〜図１０)において口金Ｂの挿し込み保持状態となるものである。電球Ａは、円筒状とする２本の口金Ｂを突出させた周知の形態(例えば、ハロゲン電球等)のものである。
【００２１】
前記ソケット１は、前記ガイシ３にのみ、前記口金Ｂに接触して通電するコンタクト５０を備え、前記ガイシ２には、前記口金Ｂの挿し込み時において、挿し込まれた口金Ｂを支持する支持部２Ａを備えている。前記ガイシ２、３が離間している状態では、支持部２Ａに支持された口金Ｂに対して前記コンタクト５０が非接触状態(図６参照)にあり、前記ガイシ２、３の接近状態において口金Ｂに対して前記コンタクト５０が接触状態(図９参照)となるようにされている。
【００２２】
すなわち、前記ソケット１は、仮に、通電状態で口金Ｂを挿し込んだ当初においては、該口金Ｂがコンタクト５０に対して非接触状態であるため、挿し込み時におけるアーク放電や感電等を防止することができる。そして、口金Ｂを挿し込んだ状態でガイシ２、３を接近させることにより、口金Ｂにコンタクト５０が接触して電球Ａが通電状態になるとともに、口金Ｂを挟持保持することができる。
【００２３】
以下、本実施形態のソケット１の各構成部材について説明すると、本実施形態のガイシ２、３は、絶縁素材である酸化アルミニウム(以下「アルミナ」という)を用いて、所定形状に成型されている。
【００２４】
尚、以下では、ソケット１の挿し込み始端側を上側と称し、挿し込み終端側を下側と称する。
【００２５】
ガイシ２は、上面を対向するガイシ３方向に延設した板状のカバー部２１を一体に備えた立方体状を呈する。カバー部２１には口金Ｂを挿し込む挿し込み孔２１Ａが開孔されている。カバー部２１の下端面には、前記挿し込み孔２１Ａと連通する前記支持部２Ａが連設されている。また、前記挿し込み孔２１Ａと連続するように、挿し込まれる口金Ｂの周面の半部が嵌合する嵌合溝２２がガイシ２の下端面まで形成されている。
【００２６】
嵌合溝２２は、口金Ｂの周面半部の円弧と適合する平面半円状に形成されており、挿し込まれた口金Ｂの周面が接触するようにしている。
【００２７】
支持部２Ａは、内外周面をともに平面半円状とするアーチ状に形成され、前記嵌合溝２２とで前記挿し込み孔２１Ａと連通する貫通孔２１Ｂを形成している。また、支持部２Ａは、口金Ｂのほぼ上半部が貫通するとともに、残りの下半部が露出するように支持する程度の長さにされている。また、支持部２Ａの内周面２０Ａは、口金Ｂの円弧に適合して接触する程度の平面半円状に形成されている。
【００２８】
カバー部２１は、ガイシ３の上面３Ａに対して、ガイシ２、３の接近状態及び離間状態において常に重なっており、ガイシ３に設けられたコンタクト５０を上面から隠している。
【００２９】
すなわち、カバー部２１及び該カバー部に設けられた挿し込み孔２１Ａにより、口金Ｂの挿し込み時においてガイシ３側に該口金Ｂが挿し込まれないように規制するとともに、支持部２Ａに確実に挿し込まれるように案内することができる。したがって、この規制及び案内によって、口金Ｂの挿し込み時における感電やアーク放電の発生を防止することができる。
【００３０】
また、支持部２Ａに支持された口金Ｂには通電時に熱が発生するが、該熱は、前記貫通孔２１Ｂ及び嵌合溝２２に対する口金Ｂの適合状の接触により、ガイシ２に伝導されることで放熱される。
【００３１】
本実施形態におけるガイシ２、３の素材であるアルミナは、熱伝導効率に優れており、本発明のような通電時に発熱をともなうソケットに用いられるガイシの素材として、好ましいものであると考えられる。ただし、本発明で実施されるガイシの素材については、例示したアルミナに限られず、例えば、ステアタイト等の各種セラミックを用いてもよい。
【００３２】
ガイシ３は、立方体状を呈し、上面３Ａが前記カバー部２１の下面２１Ｃと対向して重なり合うように配置されている。ガイシ３における前記嵌合溝２２と対向する面には、前記支持部２Ａが適合状に嵌合する嵌合溝３１と、該嵌合溝３１の下方向に連設されたコンタクト支持溝３２とが形成されている。
【００３３】
嵌合溝３１は、前記支持部２Ａと同長、かつ外周の半円形状に適合する半円形状を呈するものであり、ガイシ２、３同士が接近したときに嵌合溝３１に支持部２Ａが嵌合し(図８参照)、離間したときに嵌合溝３１から支持部２Ａが脱出する(図５参照)ようにされている。
【００３４】
コンタクト支持溝３２は、コンタクト５０を支持するための溝であり、前記嵌合溝３１に対して下方向に連設された第１溝部３２Ａと、該第１溝部３２Ａに対して下方向に連設されたな第２溝部３２Ｂとで構成されている。
【００３５】
本実施形態で例示する保持機構４は、カム機構の作用により、ガイシ２、３同士を接近・離間させるとともに、接近状態及び離間状態を保持する周知の構造のものであるので、以下で、保持機構４の概略構成を説明する。尚、保持機構の構成については、例示する実施形態に限られず、ガイシ同士を接近・離間させるとともに、接近状態及び離間状態を保持する構成であればよい。
【００３６】
保持機構４は、前記ガイシ２、３の側部を囲むように保持するソケットケース１０のガイシ２側に一端が固定され、前記ガイシ２、３に対して対向方向に貫通したカム軸４０と、ガイシ３側に突出したカム軸４０の端部に上下方向に回動可能に軸支された操作レバー４１と、操作レバー４１の軸支部位４１Ａと接触するように前記カム軸４０にスライド可能に遊嵌合されたカラー４２と、前記ソケットケース１０を貫通し、前記カラー４２とガイシ３の間に、該カラー４２とガイシ３に対して接触するとともに、前記カム軸４０に対してスライド可能に遊嵌合した押さえばね４３と、ガイシ２、３間に装着された圧縮ばね４４とを備えている。
【００３７】
この保持機構４によれば、図１及び図２に示すように、操作レバー４１は、長手方向が水平方向と垂直方向とに切替わるように回動し、水平方向であるときに前記ガイシ２、３の離間状態(口金Ｂの抜き挿し可能状態、図１、図５〜図７参照)を保持し、垂直方向であるときに前記ガイシ２、３の接近状態(口金Ｂの保持状態、図２、図８〜図１０参照)を保持する。
【００３８】
図１、図５〜図７に示すガイシ２、３の離間状態では、圧縮ばね４４の付勢力により、ガイシ２に対するガイシ３の離間状態が保持されるとともに、前記付勢力がガイシ３、押さえばね４３、カラー４２を経て操作レバー４１の長手方向と対面する軸支部位４１Ａの端面４１０を押圧することにより、該操作レバー４１の水平状態が保持される。
【００３９】
操作レバー４１の長手方向を水平状態から垂直方向へ回動させると、前記軸支部位４１Ａの角部４１１でカラー４２をガイシ３方向に押圧する。該押圧力は、押さえばね４３を経てガイシ３を前記圧縮ばね４４の圧縮力に抗してガイシ２と接近する方向に移動させる。そして、図２、図８〜図１０に示すように、操作レバー４１の長手方向が垂直状態になると、連続する操作レバー４１の長手方向に沿う軸支部位４１Ａの端面４１２が、圧縮ばね４４の付勢力によるガイシ３の離間方向への移動を防止することで、ガイシ２、３の接近状態が保持される。
【００４０】
前記端面４１０は、操作レバー４１の長手方向の水平状態において、ガイシ２、３を離間状態にする位置に設定され、前記端面４１２は、操作レバー４１の長手方向の垂直状態において、ガイシ２、３を接近状態で保持する位置に設定されている。
【００４１】
尚、操作レバー４１は、例示した単にガイシ２、３を接近・離間させる構成に限らず、例えば、実公昭６３−１７１８２号に記載されているように、ミラー取付け枠を兼用する構成にしてもよい。
【００４２】
コンタクト５０は、ガイシ２、３が接近状態であるときにのみ口金Ｂに接触して通電させる部位が平面アングル形状に形成されており、前記第１溝部３２Ａに、嵌合溝２２と平面視において対向するように嵌合するとともに、第１溝部３２Ａに対してリベット止め等により、口金Ｂの公差中で横移動するように取り付けられている(図６及び図９参照)。また、コンタクト５０は、ガイシ２、３の接近状態において、平面アングル形状の頂点部(コンタクト５０の底部に相当する部位)を境とする２つの接触面５０Ａに、前記支持部２Ａに支持された口金Ｂの側面が接触するようにしている(図９参照)。すなわち、ガイシ２、３の接近状態において、支持された口金Ｂの周面に対して前記嵌合溝２２とコンタクト５０における接触面５０Ａが接触状態となる。
【００４３】
コンタクト５０の下側面には、ケーブル５Ａを接続する接続部５及び口金Ｂが接触したときに放電を行う放電部６がリベット止め等(図示せず)により、一体に重なるように固着されている。
【００４４】
接続部５は、下端部にケーブル５Ａをカシメにより接続した薄板状のものであり、前記第２溝部３２Ｂに嵌合保持されている。
【００４５】
放電部６は、口金Ｂの下端周面が接触する接触放電部６１を備えている。
【００４６】
このコンタクト５０及び接続部５についても、ガイシ３の前記コンタクト支持溝３２に接触させており、この接触により通電による発熱をガイシ３に伝導させて放熱をするようにしている。
【００４７】
接触放電部６１は、前記コンタクト５０の下端から突出する口金Ｂの下端周面が接触する位置となるように、前記接続板６０の左右端部から延設された２枚の板ばね状に形成されている。接触放電部６１は、口金Ｂが接触する接触面６１Ａの位置を、前記コンタクト５０の接触面５０Ａよりも、ガイシ２に対して近い位置に設定してあり、ガイシ２、３の接近時において、口金Ｂの下端周面が接触面６１Ａに接触した後に、該下端周面を除く口金Ｂの周面がコンタクト５０に接触するようにしている(図９及び図１０参照)。
【００４８】
すなわち、仮に、ソケット１が通電状態でガイシ２、３を接近させた当初において、支持された口金Ｂの一部分である下端周面が接触放電部６１にのみ接触し、該接触部分においてアーク放電が発生するため、コンタクト５０及び接続部５等の大部分や、口金Ｂの下端周面を除く大部分に対するアーク放電による悪影響を抑制することができる。
【００４９】
また、接触放電部６１は、ガイシ２、３の接近時において、口金Ｂの下端周面が接触した際に、ガイシ３方向に弾性変形し、この変形から復帰する方向への付勢力が発生するようにしてあり、この付勢力により、口金Ｂの下端周面に対する接触確実性を確保することができる(図１０参照.)。
【００５０】
本実施形態のソケット１によれば、ガイシ２、３の離間状態において口金Ｂを挿し込んだときに、該口金Ｂを支持部２Ａが支持することで、ガイシ２、３が離間状態のソケット１に対する電球Ａの挿し込み状態を安定させることができる。このガイシ２、３の離間状態では、口金Ｂとコンタクト５０との非接触状態を保持しているので、仮に、ソケット１が通電状態である場合に口金Ｂを挿し込んだときに、感電やアーク放電の発生を防止することができる。
【００５１】
更に、通電状態におけるガイシ２、３の接近において、最初に接触する口金Ｂの下端周面と放電部６における接触放電部６１間でアーク放電を発生させることによる口金Ｂやコンタクト５０に対する悪影響の抑制、口金Ｂの挿し込み時における該口金Ｂのコンタクト５０への接触の規制及び支持部２Ａへの確実な案内による感電やアーク放電の防止、ガイシ２、３をアルミナで形成したことによる放熱効果の向上、コンタクト５０をガイシ３側のみに配したことによる部品点数の削減、等、多くの効果が期待できる。
【００５２】
尚、本発明は、例示した実施形態に限定するものでは無く、特許請求の範囲の各項に記載された内容から逸脱しない範囲の構成による実施が可能である。例えば、保持機構の構造、保持機構における操作レバーの形態、ガイシの形態、コンタクトの形態等、様々な形態で実施が可能である。
【符号の説明】
【００５３】
１：ソケット    ２：ガイシ    ３：ガイシ    ５０：コンタクト    ６：放電部
２Ａ：支持部    ２１：カバー部    ２１Ａ：挿し込み孔    Ａ：バイポスト型電球
Ｂ：口金
【図１】
2010262799.tif 000003
【図２】
2010262799.tif 000004
【図３】
2010262799.tif 000005
【図４】
2010262799.tif 000006
【図５】
2010262799.tif 000007
【図６】
2010262799.tif 000008
【図７】
2010262799.tif 000009
【図８】
2010262799.tif 000010
【図９】
2010262799.tif 000011
【図１０】
2010262799.tif 000012